(57)【要約】【課題】地震時に天井ボードが落下するのを防ぐことができる天井ボード取付構造を提供する。【解決手段】天井躯体から吊下された支持部材と、前記支持部材の下面へ配置された天井ボードと、前記天井ボードの下方側の表面から前記支持部材へねじ込まれ、前記天井ボードを前記支持部材へ固定するビスと、前記ビスの皿部と前記天井ボードの間に介在され、前記天井ボードと前記支持部材へねじ込まれる前記ビスの前記皿部を前記天井ボードの下方側の表面よりも面落ちさせない補強部材と、を有する天井ボード取付構造。【選択図】図２
2015014102.tif 000002
【特許請求の範囲】
【請求項１】
天井躯体から吊下された支持部材と、
前記支持部材の下面へ配置された天井ボードと、
前記天井ボードの下方側の表面から前記支持部材へねじ込まれ、前記天井ボードを前記支持部材へ固定するビスと、
前記ビスの皿部と前記天井ボードの間に介在され、前記天井ボードと前記支持部材へねじ込まれる前記ビスの前記皿部を前記天井ボードの下方側の表面よりも面落ちさせない補強部材と、
を有する天井ボード取付構造。
【請求項２】
前記補強部材は、複数の前記ビスの前記皿部と前記天井ボードの間に介在している請求項１に記載の天井ボード取付構造。
【請求項３】
前記補強部材は、被取付部材が取り付けられる取付部材である請求項１又は２に記載の天井ボード取付構造。
【発明の詳細な説明】
【技術分野】
【０００１】
本発明は、野縁に天井ボードが取り付けられた天井ボード取付構造に関する。
【背景技術】
【０００２】
天井躯体から吊り下げられた野縁の下面に天井ボードを取り付けて建物室内空間の天井面を形成する天井構造が、一般的な建物に普及している。天井ボードは、天井ボードの下方側の表面よりもビス皿部が面落ちするまでビスを天井ボードから野縁へねじ込むことによって野縁に固定されている。例えば、特許文献１には、石膏ボードからなる上張り材をビスで野縁に固定した天井仕上げ構造が開示されている。
【０００３】
ここで天井ボードに石膏ボードのような脆い部材を使用した場合、地震時に、野縁に対して天井ボードが横方向へ往復相対移動し、これに伴うビス皿部の往復円揺動により、ビス皿部の天井ボードへの食い込みとこの食い込みの開放が繰り返される。これによって、天井ボードのビス孔がこじ開けられてビス孔径が大きくなり、ビスが天井ボードを保持できなくなって天井ボードが落下してしまうことが懸念される。
【先行技術文献】
【特許文献】
【０００４】
【特許文献１】特開平１０−３２５２０４号公報
【発明の概要】
【発明が解決しようとする課題】
【０００５】
本発明は係る事実を考慮し、地震時に天井ボードが落下するのを防ぐことができる天井ボード取付構造を提供することを課題とする。
【課題を解決するための手段】
【０００６】
請求項１に記載の発明は、天井躯体から吊下された支持部材と、前記支持部材の下面へ配置された天井ボードと、前記天井ボードの下方側の表面から前記支持部材へねじ込まれ、前記天井ボードを前記支持部材へ固定するビスと、前記ビスの皿部と前記天井ボードの間に介在され、前記天井ボードと前記支持部材へねじ込まれる前記ビスの前記皿部を前記天井ボードの下方側の表面よりも面落ちさせない補強部材と、を有する天井ボード取付構造である。
【０００７】
請求項１に記載の発明では、天井ボードと支持部材へビスをねじ込み締め付けて支持部材へ天井ボードを固定する際に、ビスの皿部が天井ボードの下方側の表面に食い込んで天井ボードの下方側の表面よりも面落ちするのを、補強部材によって防ぐことができる。よって、地震時にビスの皿部によって天井ボードのビス孔径が大きくなるのを防ぐことができ、天井ボードが落下するのを防ぐことができる。
【０００８】
請求項２に記載の発明は、請求項１に記載の天井ボード取付構造において、前記補強部材は、複数の前記ビスの皿部と前記天井ボードの間に介在している。
【０００９】
請求項２に記載の発明では、補強部材を複数のビスで天井ボードに保持することができるので、補強部材を、天井ボードの下方側の表面の広い範囲を覆う部材とすることができる。これによって、天井面の意匠性を高めることができる。また、天井ボードの曲げ剛性を向上させることができ、補強部材の設置手間を軽減することができる。
【００１０】
請求項３に記載の発明は、請求項１又は２に記載の天井ボード取付構造において、前記補強部材は、被取付部材が取り付けられる取付部材である。
【００１１】
請求項３に記載の発明では、補強部材に、取付部材としての機能を兼ねさせることにより、別途取付部材を設ける場合に比べて、トータルとしての施工手間や部品点数を減らすことができる。
【発明の効果】
【００１２】
本発明は上記構成としたので、地震時に天井ボードが落下するのを防ぐことができる。
【図面の簡単な説明】
【００１３】
【図１】本発明の実施形態に係る天井ボード取付構造を示す側面図である。
【図２】本発明の実施形態に係る天井ボード取付構造を示す側断面図である。
【図３】本発明の実施形態に係る補強部材の配置を示す平面図である。
【図４】従来の問題点を示す側断面図である。
【図５】天井ボードの表面に皿ビスの皿部が面落ちしている状況を示す側断面図である。
【図６】本発明の実施形態に係る補強部材の配置を示す平面図である。
【図７】本発明の実施形態に係る補強部材を示す側断面図である。
【図８】本発明の実施形態に係る補強部材を示す側断面図である。
【発明を実施するための形態】
【００１４】
図を参照しながら、本発明の実施形態を説明する。まず、本発明の実施形態に係る天井ボード取付構造について説明する。
【００１５】
図１の側面図には、本実施形態の天井ボード取付構造１０を備える、建物１２の天井部１４が描かれている。天井ボード取付構造１０は、支持部材としての野縁１６、石膏ボードからなる天井ボード１８、ビスとしての皿ビス２０（不図示）、補強部材としての鋼板２２（不図示）を有して構成されている。野縁１６は、軽量鉄骨により形成された構造断面形状がＣ形の部材であり、鋼板２２の厚さは２ｍｍとなっている。
【００１６】
天井躯体としての床スラブ２４には、複数の吊りボルト２６が垂下されており、吊りボルト２６の下端部に備えられたハンガー２８に野縁受け３０が掛止されている。野縁受け３０は、平面視にて並列して配置されている。
【００１７】
野縁受け３０の下面には、野縁１６がクリップ３２によって連結されている。すなわち、床スラブ２４から野縁１６が吊下されている。野縁１６は、平面視にて野縁受け３０と略直交するように並列して配置されている。
【００１８】
壁３４の壁面３６には、天井ボード１８端部の横移動を許容し、天井ボード１８端面と壁面３６の間に形成される隙間Ｓを覆う廻縁３８が取り付けられている。
【００１９】
図２の側断面図に示すように、野縁１６の下面には、天井ボード１８が配置され、天井ボード１８の下方側の表面４０（天井ボード１８の下面）には、鋼板２２が配置されている。そして、鋼板２２の下方側の表面４２（鋼板２２の下面）から、鋼板２２、天井ボード１８、野縁１６の順に皿ビス２０がねじ込まれて、略水平の天井面を形成するように略水平に配置されて天井ボード１８が野縁１６に固定されている。すなわち、天井ボード１８の表面４０から皿ビス２０を野縁１６へねじ込み、皿ビス２０により天井ボード１８を野縁１６へ固定することにより、天井ボード１８が床スラブ２４から吊り下げられている。
【００２０】
図２、及び天井部１４（天井ボード１８）を下方から見た図３の平面図に示すように、鋼板２２は、皿ビス２０の皿部４４と天井ボード１８の間に介在され、皿ビス２０（皿部４４）付近周りの天井ボード１８の表面４０を覆う平面形状が略正方形の部材であり、天井ボード１８と野縁１６へねじ込まれる皿ビス２０の皿部４４が天井ボード１８の表面４０よりも面落ちするのを防いでいる。
【００２１】
次に、本発明の実施形態に係る天井ボード取付構造の作用と効果について説明する。
【００２２】
図４（ａ）の側断面図に示すように、天井ボード１８の表面４０よりも皿ビス２０の皿部４４が面落ちするまで天井ボード１８及び野縁１６に皿ビス２０をねじ込み締め付けて野縁１６に天井ボード１８を固定している従来の天井ボード取付構造４６の場合、地震時に天井ボード１８に慣性力や衝撃力が発生すると、野縁１６に対して天井ボード１８が横方向へ往復相対移動しようとする。これに伴って、図４（ｂ）及び図４（ｃ）の側断面図に示すように、天井ボード１８の表面４０よりも面落ちした皿ビス２０の皿部４４が往復円揺動し、皿ビス２０の皿部４４（皿部４４の側面）の天井ボード１８への食い込みとこの食い込みの開放が繰り返される。これにより、図４（ｄ）の側断面図に示すように、天井ボード１８のビス孔５２がこじ開けられてビス孔径が大きくなり、皿ビス２０が天井ボード１８を保持できなくなって天井ボード１８が落下してしまうことが懸念される。
【００２３】
これに対して、本実施形態の天井ボード取付構造１０では、図２に示すように、天井ボード１８と野縁１６へ皿ビス２０をねじ込み締め付けて野縁１６へ天井ボード１８を固定する際に、皿ビス２０の皿部４４が天井ボード１８の表面４０に食い込んで天井ボード１８の表面４０よりも面落ちするのを、鋼板２２によって防ぐことができる。よって、地震時に皿ビス２０の皿部４４（皿部４４の側面）によって天井ボード１８のビス孔径が大きくなる（皿ビス４４周りの天井ボード１８が破壊される）のを防ぐことができ、天井ボード１８が落下するのを防ぐことができる。
【００２４】
また、地震時に天井ボード１８に慣性力や衝撃力が発生し、野縁１６に対して天井ボード１８が横方向へ往復相対移動しようとしたときに、皿ビス２０の皿部４４が天井ボード１８の表面４０に食い込もうとするのを、鋼板２２によって防ぐことができる。よって、地震時に皿ビス２０の皿部４４によって天井ボード１８のビス孔径が大きくなる（皿ビス２０周りの天井ボード１８が破壊される）のを防ぐことができ、天井ボード１８が落下するのを防ぐことができる。
【００２５】
さらに、図１及び図２に示すように、天井ボード１８の下方からの作業によって野縁１６へ天井ボード１８を固定することができるので、施工が行い易い。特に、改修工事によって天井ボード取付構造１０を構築する際には、既存の天井部を解体したり、天井裏で施工を行ったりする必要がないので、有効となる。
【００２６】
また、皿ビス２０によって野縁１６に天井ボード１８を固定した施工後の状態において、天井ボード１８の下方から皿ビス２０（皿部４４）が見えるので、天井裏に人が入らなくても固定部材としての皿ビス２０の健全性を確認することができる。
【００２７】
以上、本発明の実施形態について説明した。
【００２８】
なお、本実施形態では、図２に示すように、天井ボード１８を石膏ボードとした例を示したが、天井ボード１８は、他の材質のボード材であってもよい。図４（ａ）〜（ｄ）のように、野縁１６に対して天井ボード１８が横方向へ往復相対移動しようとするときに、皿ビス２０の皿部４４（皿部４４の側面）によって天井ボード１８のビス孔５２の径が大きくなってしまう（皿ビス４４周りの天井ボード１８が破壊されてしまう）材質の天井ボードであれば、地震時に皿ビス２０の皿部４４によって天井ボードのビス孔径が大きくなる（皿ビス２０周りの天井ボードが破壊される）のを防ぐことができる。例えば、天井ボード１８を、珪酸カルシウム板や、表面に薄いアルミニウム板が貼られた石膏ボードとしてもよい。
【００２９】
また、本実施形態では、補強部材を厚さ２ｍｍの鋼板２２とした例を示したが、天井ボード１８と野縁１６へ皿ビス２０をねじ込み締め付けて野縁１６へ天井ボード１８を固定する際に、皿ビス２０の皿部４４が天井ボード１８の表面４０に食い込んで天井ボード１８の表面４０よりも面落ちするのを防ぐことができる強度、剛性及び厚さを有していれば、補強部材はどのような材料によって形成してもよい。例えば、本実施形態のように一般的な鋼板を補強部材とする場合には、厚さを１．６ｍｍ以上にすればよい。また、例えば、図２に示すように、補強部材の厚さを皿ビス２０の皿部４４の厚さｔ以上にすればよい。
【００３０】
図５の側断面図に示すように、厚さの薄いネット、ビニールテープ、鋼板等の部材を補強部材として用いた場合（図５には、厚さ０．１ｍｍのステンレス鋼板４８を補強部材とした例が示されている）、補強部材の強度や剛性が不十分なために、天井ボード１８と野縁１６へ皿ビス２０をねじ込み締め付けて野縁１６へ天井ボード１８を固定する際に、皿ビス２０の皿部４４が天井ボード１８の表面４０に食い込んで天井ボード１８の表面４０よりも面落ちしてしまい、地震時に皿ビス２０の皿部４４によって天井ボード１８のビス孔径が大きくなって（皿ビス２０周りの天井ボードが破壊されて）しまう。
【００３１】
さらに、本実施形態では、図３に示すように、補強部材を、皿ビス２０付近周りの天井ボード１８の表面４０を覆う平面形状が略正方形の鋼板２２とした例を示したが、補強部材の平面形状は、長方形、三角形、円形、楕円形等のどのような形状でもよい。
【００３２】
また、本実施形態では、図３に示すように、１つの皿ビス２０の皿部４４と天井ボード１８の間に、１つの補強部材（鋼板２２）を介在させた例を示したが、複数の皿ビス２０の皿部４４と天井ボード１８の間に、１つの補強部材が介在するようにしてもよい。
【００３３】
例えば、屋根部１４（天井ボード１８）を下方から見た図６の平面図に示すように、補強部材を平面形状が帯状の厚さ２ｍｍの鋼板５０とし、この鋼板５０を野縁１６に沿って複数配置するようにしてもよい。各鋼板５０には、複数（図６では、３つ）の皿ビス２０がねじ込まれており、鋼板５０を皿ビス２０間に跨らせて配置している。このようにすれば、１つの補強部材を配置することによって複数の皿ビス２０に対応させることができるので、１つの補強部材に１つの皿ビス２０を対応させる場合に比べて、補強部材の設置手間を軽減することができる。
【００３４】
さらに、補強部材を、天井ボード１８の下方側の表面の広い範囲を覆う部材とし、この補強部材を複数の皿ビス２０で天井ボード１８に保持するようにしてもよい。このようにすれば、天井面の意匠性を高めることができる。例えば、補強部材を帯状、格子状等の板部材として、美観を高めることができ、また、例えば、補強部材を帯状、格子状等のベース部材とし、このベース部材にカバー部材等の装飾部材を取り付けることにより天井ルーバー等の意匠性の高い天井面を構成することができる。
【００３５】
また、補強部材を、天井ボード１８の下方側の表面の広い範囲を覆う部材とし、この補強部材を複数の皿ビス２０で天井ボード１８に保持することにより、補強部材に天井ボード１８の面外剛性を負担させることができ、天井ボード１８の曲げ剛性を向上させることができる。
【００３６】
さらに、本実施形態では、図２に示すように、補強部材を鋼板２２とした例を示したが、補強部材を、被取付部材が取り付けられる取付部材としてもよい。取付部材としては、レール部材、フレーム部材等が挙げられ、被取付部材としては、照明や空調機器等の設備機器、設備機器等のカバー、点検口の蓋などが挙げられる。このようにすれば、補強部材に取付部材としての機能を兼ねさせることができ、別途取付部材を設ける場合に比べて、トータルとしての施工手間や部品点数を減らすことができる。
【００３７】
図７の側断面図には、補強部材を、設備機器（不図示）が取り付けられるレール部材５４とした例が示されている。また、図８の側断面図には、補強部材を、フレーム部材５６とし、このフレーム部材５６にカバー部材５８を取り付けて、デザイン性を向上させている例が示されている。レール部材５４及びフレーム部材５６は、複数の皿ビス２０によって野縁１６に固定されている。
【００３８】
さらに、本実施形態では、略水平の天井面を形成するように天井ボード１８を略水平に配置して野縁１６に固定した例を示したが、斜めに配置された天井ボード１８に対しても本実施形態の天井ボード取付構造１０を適用することができる。
【００３９】
天井ボード１８が斜めに配置されている場合でも、天井ボード１８と野縁１６へ皿ビス２０をねじ込み締め付けて野縁１６へ天井ボード１８を固定する際に、皿ビス２０の皿部４４が天井ボード１８の下方側の表面（斜面）に食い込んで天井ボード１８の下方側の表面（斜面）よりも面落ちするのを、補強部材によって防ぐことができる。よって、地震時に皿ビス２０の皿部４４によって天井ボード１８のビス孔径が大きくなるのを防ぐことができ、天井ボード１８が落下するのを防ぐことができる。また、皿ビス２０の皿部４４が天井ボード１８の下方側の表面（斜面）に食い込もうとするのを、補強部材によって防ぐことができる。
【００４０】
また、本実施形態の天井ボード取付構造１０は、建物の新築工事及び改修工事に適用することができる。
【００４１】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００４２】
１０  天井ボード取付構造
１６  野縁（支持部材）
１８  天井ボード
２０  皿ビス（ビス）
２２、５０  鋼板（補強部材）
２４  床スラブ（天井躯体）
４０  表面
４４  皿部
５４  レール部材（取付部材、補強部材）
５６  フレーム部材（取付部材、補強部材）
【図１】
2015014102.tif 000003
【図２】
2015014102.tif 000004
【図３】
2015014102.tif 000005
【図４】
2015014102.tif 000006
【図５】
2015014102.tif 000007
【図６】
2015014102.tif 000008
【図７】
2015014102.tif 000009
【図８】
2015014102.tif 000010